(57)【要約】【課題】  必要に応じて様々な場所において短時間で簡単に発電させて使用することができる自己発電型電池を提供する。【解決手段】  自己発電型電池が、化学発光体１を用いた光源と、太陽電池２とを備えるようにした。【選択図】  図１
2005259926.tif 000002
【特許請求の範囲】
【請求項１】
化学発光体を用いた光源と太陽電池とを備えたことを特徴とする自己発電型電池。
【請求項２】
請求項１に記載した自己発電型電池において、上記の化学発光体が取り出し自在に設けられていることを特徴とする自己発電型電池。
【発明の詳細な説明】
【技術分野】
【０００１】
この発明は、自己発電型電池に関するものである。
【背景技術】
【０００２】
携帯電話やノートパソコンなどの各種の機器の電源として、従来よりアルカリ電池やリチウム電池等の各種の化学二次電池が用いられている。
【０００３】
しかし、これらの化学二次電池の場合、充電装置などが必要になり、使用に際し、様々な場所において短時間で簡単に充電させて用いるということは困難であった。
【発明の開示】
【発明が解決しようとする課題】
【０００４】
この発明は、化学二次電池における上記のような問題を解決することを課題とするものであり、携帯電話やノートパソコンなどの各種の機器の電源等として使用するにあたり、必要に応じて様々な場所において短時間で簡単に発電させて使用できる自己発電型電池を提供することを課題とするものである。
【課題を解決するための手段】
【０００５】
この発明においては、上記のような課題を解決するため、化学発光体を用いた光源と太陽電池とを備えた自己発電型電池を開発したのである。
【０００６】
そして、この発明における自己発電型電池においては、上記の化学発光体を発光させ、これを光源として上記の太陽電池を発電させるようにする。
【０００７】
ここで、上記の化学発光物質としては、例えば、９，１０−ビス（フェニルエチニル）アントラセン、ルブレン（５，６，１１，１２−テトラフェニルナフタセン）、ペリレン、フタル酸−ｎ−ブチル、シュウ酸ビス［２，３，５−トリクロロ−６−（ペントオキシカルボニル）フェニル］エステル、ルミノール、ルシフェリンなどを用いることができる。
【０００８】
また、上記の酸化剤としては、例えば、過酸化水素や酸素などを用いることができる。
【０００９】
また、上記の化学発光物質と酸化剤とを混合させて発光させるにあたっては、例えば、サリチル酸ナトリウムやヘモグロビンなどの触媒を添加させて、発光反応を促進させることも可能である。
【００１０】
また、上記の化学発光体として、上記の化学発光物質と酸化剤とをカートリッジに分離させた状態で収容させたものを用い、必要に応じて、これらを混合させて発光させるようにすることができる。
【００１１】
また、上記の化学発光体として化学発光物質のみを使用し、必要に応じて酸化剤である酸素を外部から供給させて発光させるようにすることもできる。なお、この場合、このような化学発光物質としては、例えば、ルシフェリン等を用いることができる。
【００１２】
一方、上記の太陽電池としては、一般に用いられている太陽電池を用いることができ、例えば、シリコン、硫化カドミウム、テルル化カドミウム、ヒ化ガリウム、ＣｕＩｎＳｅ２などを用いた太陽電池を使用することができ、環境安定性の観点から、シリコンを用いた太陽電池を使用することが望ましい。
【００１３】
また、この発明における自己発電型電池においては、上記の化学発光体を取り出し自在に設けることが好ましい。このようにすると、化学発光体だけを取り換えて、この自己発電型電池を何度も使用することができるようになる。
【発明の効果】
【００１４】
この発明における自己発電型電池においては、上記のように化学発光体を発光させ、これを光源として太陽電池を発電させるようにしたため、必要に応じて様々な場所において短時間で簡単に発電させて各種の機器の電源として使用することができ、またこの自己発電型電池において発電された電気を二次電池の充電に利用することもできるようになる。
【００１５】
また、この発明における自己発電型電池において、上記のように化学発光体を取り出し自在に設けると、この化学発光体は化学電池等に比べて軽く、簡単に持ち運ぶことができ、太陽電池を各種の機器等にセットしておくことにより、化学発光体だけを取り換えて、この自己発電型電池を何度も使用することができるようになる。
【発明を実施するための最良の形態】
【００１６】
以下、この発明の実施形態に係る自己発電型電池を添付図面に基づいて説明する。なお、この発明に係る自己発電型電池は、下記の実施形態に示したものに限定されるものではなく、その要旨を変更しない範囲において、適宜変更して実施することができるものである。
【００１７】
この実施形態に係る自己発電型電池においては、図１に示すように、上記のような化学発光物質と酸化剤とを円筒缶状のカートリッジ内に収容させた化学発光体１を用いると共に、円筒状に形成されて上記の化学発光体１を収容させる収容部２ａが設けられた太陽電池２とを用いるようにしている。
【００１８】
そして、この太陽電池２の収容部２ａ内に上記の化学発光体１を取り出し自在に収容させ、この化学発光体１の周囲を太陽電池２で覆うようにしている。
【００１９】
そして、このように太陽電池２の収容部２ａ内に収容させた化学発光体１において、カートリッジ内に収容させた化学発光物質と酸化剤とを混合させると、この化学発光体１が発光し、この光がその周囲に設けられた太陽電池２に吸収されて、太陽電池２が発電するようになる。
【００２０】
また、上記の化学発光体１が発光し終えた後は、この化学発光体１だけを取り換えるだけで、何度も太陽電池２を発電させることができるようになる。
【００２１】
なお、この実施形態に係る自己発電型電池においては、上記のように化学発光物質と酸化剤とを円筒缶状のカートリッジ内に収容させた化学発光体１を用いるようにしたが、カートリッジ内に化学発光物質だけを収容させ、必要に応じて、外部から酸素等の酸化剤を供給して、化学発光体１を発光させるようにすることもできる。
【００２２】
次に、実験により、化学発光体を用いて太陽電池を発電させることができることを明らかにする。
【００２３】
この実験においては、化学発光体として、直径が７．５ｍｍ，長さが７５ｍｍになった市販の化学発光体（株式会社ルミカ製：ケミホタル７５レッド）を５本用いると共に、太陽電池として、一辺が１０ｃｍの正方形状になったシリコン太陽電池モジュールを２枚用いるようにした。
【００２４】
そして、図２に示すように、上記の２枚の太陽電池２間に、上記の５本の化学発光体１を挟み込むようにし、この状態で、上記の各化学発光体１を発光させて、上記の太陽電池２における発電状態を調べ、その結果を図３に示した。
【００２５】
この結果、上記の太陽電池２における短絡電流は８００μＡ，開回路電圧は２６１ｍＶであり、太陽電池２が発電していることが分かった。
【図面の簡単な説明】
【００２６】
【図１】この発明の一実施形態に係る自己発電型電池の概略斜視図である。
【図２】この発明の実験において、２枚の太陽電池間に、５本の化学発光体を挟み込んだ状態を示した概略正面図である。
【図３】この発明の実験において、各化学発光体の発光によって太陽電池が発電する状態を示したＩ−Ｖ特性図である。
【符号の説明】
【００２７】
１  化学発光体
２  太陽電池
２ａ  収容部
【図１】
2005259926.tif 000003
【図２】
2005259926.tif 000004
【図３】
2005259926.tif 000005